(57)【要約】【課題】操作部材が不用意に操作され、椅子が予期せず回動するのを抑えることができる椅子を提供する。【解決手段】本発明の一態様に係る椅子１００は、上方を向く着座面１４を有する座部１０、及び座部１０の幅方向の側方に設けられたアームレスト３０を有する椅子本体と、回転基台に対して係脱可能とされ、回転基台に対する椅子本体の回動を規制する係合状態、及び回転基台に対する椅子本体の回動を許容する離脱状態に移動可能なロックピンと、アームレストのうち、着座面１４よりも下方に位置する部分で、幅方向の外側を向いた状態で設けられ、ロックピンの係脱操作を行うロック解除レバー７０と、を備えている。【選択図】図１
2019209758.tif 000002
【特許請求の範囲】
【請求項１】
床面上に設けられた回転基台上に、上下方向に沿う軸線周りに回転可能に支持された椅子であって、
上方を向く着座面を有する座部、及び前記座部の幅方向の側方に設けられた側方部材を有する椅子本体と、
前記回転基台に対して係脱可能とされ、前記回転基台に対する前記椅子本体の回動を規制する係合状態、及び前記回転基台に対する前記椅子本体の回動を許容する離脱状態に移動可能なロック部材と、
前記側方部材のうち、前記着座面よりも下方に位置する部分で、幅方向の外側を向いた状態で設けられ、前記ロック部材の係脱操作を行う操作部材と、を備えている、
椅子。
【請求項２】
前記側方部材には、幅方向の外側、及び下方に開口する収容凹部が形成され、
前記操作部材は、前記収容凹部内に収容されている、
請求項１に記載の椅子。
【請求項３】
前記操作部材は、前記側方部材の側面と同一面内に位置する状態から、前記幅方向の外側に変位することで、前記ロック部材を離脱状態に移動させる、
請求項１または請求項２に記載の椅子。
【請求項４】
前記操作部材は、上端部が前後方向に沿う軸線周りに回動可能に前記側方部材に支持されている、
請求項１から請求項３の何れか一項に記載の椅子。
【請求項５】
前記椅子本体は、前記座部の後端部から起立するとともに、前方を向く背凭れ面を有する背凭れをさらに備え、
前記操作部材は、前記背凭れ面よりも前方に配置されている、
請求項１から請求項４の何れか一項に記載の椅子。
【発明の詳細な説明】
【技術分野】
【０００１】
本発明は、椅子に関する。
【背景技術】
【０００２】
鉄道車両等に設置される椅子では、鉄道車両の進行方向や同乗者の人数等に応じて椅子の向きを変更可能としたものがある。このような椅子は、床面上に設けられた回転基台上に設置される。回転基台は、床面上に固定された固定ベースと、上下方向に延びる軸線回りに回動可能に固定ベースに設けられた回転ベースと、を備える。椅子は、回転ベースに支持されることで、回転ベースと一体で回動する。
【０００３】
椅子は、固定ベースに係脱可能とされたロックピンを備えている。椅子は、ロックピンが固定ベースに係合された係合状態で、固定ベースに対する軸線周りの移動が規制されている。一方、椅子は、ロックピンが固定ベースから離脱した離脱状態で、固定ベースに対する回動が許容される。
【０００４】
ここで、特許文献１には、椅子の肘掛けの操作しやすい位置（肘掛け上部）に、ロックピンを操作するロックピン解除レバーを備える構成が開示されている。このような構成においては、ロックピン解除レバーを操作して、ロックピンを固定ベースから離脱させることで、椅子の向きが変更可能となる。
【先行技術文献】
【特許文献】
【０００５】
【特許文献１】特許第３７８４４８７号公報
【発明の概要】
【発明が解決しようとする課題】
【０００６】
しかしながら、特許文献１に開示されたような構成においては、ロックピン解除レバーが肘掛け上部に設けられているため、ロックピン解除レバーが第三者によって不意に操作される可能性がある。
また、椅子に着座した状態で操作ができるので、例えばリクライニング用の操作部材と間違えて、ロックピン解除レバーを操作してしまう可能性もある。
【０００７】
本発明は、操作部材が不用意に操作され、椅子が予期せず回動するのを抑えることができる椅子を提供することを目的とする。
【課題を解決するための手段】
【０００８】
上記目的を達成するために、本発明の一態様に係る椅子は、床面上に設けられた回転基台上に、上下方向に沿う軸線周りに回転可能に支持された椅子であって、上方を向く着座面を有する座部、及び前記座部の幅方向の側方に設けられた側方部材を有する椅子本体と、前記回転基台に対して係脱可能とされ、前記回転基台に対する前記椅子本体の回動を規制する係合状態、及び前記回転基台に対する前記椅子本体の回動を許容する離脱状態に移動可能なロック部材と、前記側方部材のうち、前記着座面よりも下方に位置する部分で、幅方向の外側を向いた状態で設けられ、前記ロック部材の係脱操作を行う操作部材と、を備えている。
【０００９】
本態様によれば、操作部材が側方部材の低い位置に設けられるので、例えば第三者によって不意に操作されるのを抑制できる。また、着座者が椅子に着座した状態で、手の届きにくい位置に操作部材が配置されるので、例えばリクライニング用の操作部材と間違えて操作部材を操作してしまうのを抑制できる。
その結果、操作部材が不用意に操作され、椅子が予期せず回動するのを抑えることが可能となる。
さらに、操作部材が側方部材の低い位置に設けられるので、回転基台と操作部材との距離を近付けることができる。そのため、操作部材と回転基台とを接続するワイヤ等を短くできる。
しかも、操作部材が側方部材の低い位置に設けられることで、例えば操作部材を側方部材の上面後端部に設ける場合に比べて、背凭れと操作部材との距離を離すことができる。そのため、椅子の向きを変える際、一方の手で操作部材を操作した上で、他方の手で背凭れを回転方向に押し付けることで、背凭れに対して効率的に力を伝えることができる。これにより、操作部材に対して回転方向に過大に力が作用するのを抑制できるので、操作部材に掛かる負荷を低減できる。
【００１０】
本発明の一態様に係る椅子において、前記側方部材には、幅方向の外側、及び下方に開口する収容凹部が形成され、前記操作部材は、前記収容凹部内に収容されていてもよい。
この構成によれば、操作部材が側方部材の最下部に位置するものの、操作部材の操作時には、収容凹部の下方から手指を入れて操作部材を把持できる。そのため、不用意な操作を抑制した上で、意図した操作時における操作性を向上させることができる。
【００１１】
本発明の一態様に係る椅子において、前記操作部材は、前記側方部材の側面と同一面内に位置する状態から、前記幅方向の外側に変位することで、前記ロック部材を離脱状態に移動させてもよい。
この構成によれば、ロック部材の係合状態では、操作部材が側方部材の側面と同一面内に位置する。これにより、例えば椅子の周囲を歩行中に操作部材に引っ掛かるのを抑制できる。
また、操作部材によりロック部材を解除操作するには、操作部材の引き込み操作（幅方向の外側への操作）が必要になる。このため、例えば操作部材の押し込み操作によりロック部材を離脱状態に移動させる構成に比べて、不用意な操作を抑制できる。
【００１２】
本発明の一態様に係る椅子において、前記操作部材は、上端部が前後方向に沿う軸線周りに回動可能に前記側方部材に支持されていてもよい。
この構成によれば、操作部材を操作するにあたって幅方向の外側、かつ上方への引き上げ操作が必要になるので、操作部材が不用意に操作されてしまうのを、より確実に抑えることが可能となる。
【００１３】
本発明の一態様に係る椅子において、前記椅子本体は、前記座部の後端部から起立するとともに、前方を向く背凭れ面を有する背凭れをさらに備え、前記操作部材は、前記背凭れ面よりも前方に配置されていてもよい。
この構成によれば、上下方向で手の届きにくい位置に操作部材を配置した上で、前後方向で着座者から視認し易い位置に操作部材が配置される。そのため、操作部材が不用意に操作されるのを抑えることができる。
【発明の効果】
【００１４】
本発明の一態様によれば、操作部材が不用意に操作され、椅子が予期せず回動するのを抑えることができる。
【図面の簡単な説明】
【００１５】
【図１】実施形態に係る椅子ユニットの全体構成を示す斜視図である。
【図２】実施形態に係る椅子ユニットを後方から見た図である。
【図３】実施形態に係る椅子のフレームの構成を主に示す斜視図である。
【図４】実施形態に係る椅子の座部を斜め下方から見た斜視図である。
【図５】実施形態に係る椅子のアームレストを示す斜視図である。
【図６】実施形態に係るアームレストの内部構成を示す斜視図である。
【図７】実施形態に係るアームレストの内部構成を示す側面図である。
【図８】図７のＶＩＩＩ−ＶＩＩＩ線に相当する断面図である。
【発明を実施するための形態】
【００１６】
以下、本発明の一実施形態に係る椅子について図面を参照して説明する。
以下の説明において、便宜上、椅子１００の着座者が前を向く方向を「前方」、その反対方向を「後方」と称する。また、椅子１００の着座者の左右方向を幅方向と称する。さらに、椅子１００を設置する床面Ｆに直交する方向を上下方向と称する。なお、図中適所には、椅子１００の幅方向を示す矢印Ｘ、椅子１００の前後方向を示す矢印Ｙ、椅子１００の上下方向を示す矢印Ｚが示されている。
【００１７】
［椅子ユニット］
図１は、実施形態に係る椅子ユニット１の全体構成を示す斜視図である。図２は、椅子ユニット１を後方から見た図である。
図１、図２に示すように、椅子ユニット１は、例えば鉄道車両等に搭載される。椅子ユニット１は、幅方向に並設された２つの椅子１００を備える。なお、椅子ユニット１を構成する椅子１００は、２つに限られない。また、椅子ユニット１の設置場所は鉄道車両以外の乗物でもよく、劇場や講堂、ホール等であってもよい。
【００１８】
図２に示すように、各椅子ユニット１は、床面Ｆ上に設けられた回転基台２上に設けられている。回転基台２は、床面Ｆに固定された固定ベース２ａと、固定ベース２ａに対して上下方向に沿う軸線Ｃ周りに回動可能に設けられた回転ベース２ｂと、を備えている。椅子ユニット１は、回転ベース２ｂ上に取り付けられている。椅子ユニット１は、軸線Ｃ周りに回転ベース２ｂと一体で回動可能に構成されている。
【００１９】
椅子ユニット１を構成する２つの椅子１００は、幅方向において対称な構成を有している。したがって、以下においては、幅方向の一方側（左側）の椅子１００のみを図示し、その説明を行う。
図１に示すように、椅子１００は、座部１０と、背凭れ２０と、アームレスト（側方部材）３０と、を備えている。
【００２０】
＜座部＞
図３は、椅子１００のフレームの構成を主に示す斜視図である。図４は、椅子１００の座部１０を斜め下方から見た斜視図である。
図１、図３、図４に示すように、座部１０は、座部フレーム１１（図３、図４参照）と、座枠１２（図３、図４参照）と、座部クッション１３（図１参照）と、を備えている。
【００２１】
図３、図４に示すように、座部フレーム１１は、例えば金属製で枠型に形成されている。具体的に、座部フレーム１１は、前後方向に間隔をあけて設けられた前部フレーム１１ｆ及び後部フレーム１１ｒと、前部フレーム１１ｆ及び後部フレーム１１ｒ間を架け渡す中間フレーム１１ｃと、を有する。
前部フレーム１１ｆ及び後部フレーム１１ｒは、それぞれ幅方向に延びている。
中間フレーム１１ｃは、幅方向に間隔をあけて２本設けられている。各中間フレーム１１ｃの前端部は、前部フレーム１１ｆに溶接等によって各別に固定されている。各中間フレーム１１ｃの後端部は、後部フレーム１１ｒに溶接等によって各別に固定されている。
【００２２】
図３に示すように、座枠１２は、例えば金属製で枠型に形成されている。具体的に、座枠１２は、前部フレーム１１ｆ上に固定された前枠１２ｆと、前枠１２ｆにおける幅方向の両端部から後方に向けて延びる一対の側枠１２ｓと、一対の側枠１２ｓの後端部同士を連結する後枠１２ｒと、を備えている。後枠１２ｒは、上述した後部フレーム１１ｒ上に設けられたブラケット１１ｂ上に固定されている。
【００２３】
図１に示すように、座部クッション１３は、座枠１２（図３参照）上に、座枠１２を覆うように設けられている。座部クッション１３は、弾性を有したクッション材（図示無し）と、クッション材を覆うカバー材１３ｃと、を備えている。座部クッション１３の上面は、着座者が着座する着座面１４を構成している。
【００２４】
＜背凭れ＞
図１、図３に示すように、背凭れ２０は、座部１０の後端部から上方に起立している。背凭れ２０は、背部フレーム２１と、バックパネル２２と、背受けパネル２３と、背部クッション２４（図１参照）と、を備えている。
【００２５】
図３に示すように、背部フレーム２１は、例えば金属製である。背部フレーム２１は、幅方向の両側に設けられた一対の縦枠２１ｖと、一対の縦枠２１ｖの上端部同士を連結する上枠２１ｕと、を備えている。一対の縦枠２１ｖは、上述した後部フレーム１１ｒの幅方向の両端部から上方に延びる支柱１５に、支軸部１６を介してそれぞれ支持されている。支軸部１６は、幅方向に沿う水平軸周りに縦枠２１ｖを回動自在に支持する。これにより、背部フレーム２１は、前後方向に傾動可能となっている。
【００２６】
背部フレーム２１には、上下方向に間隔をあけて、複数本の横帯材２５が設けられている。横帯材２５は、幅方向の両端部が一対の縦枠２１ｖに溶接等により固定されている。
【００２７】
バックパネル２２は、背部フレーム２１を後方から覆うように配置されている。バックパネル２２は、樹脂系材料等により形成されている。バックパネル２２は、ビス等によって背部フレーム２１に固定されている。
【００２８】
背受けパネル２３は、背部フレーム２１に対して前方に配置されている。背受けパネル２３は、背部フレーム２１の下半部に設けられている。背受けパネル２３は、樹脂系材料等により形成されている。背受けパネル２３は、上述した横帯材２５にビス等により固定されている。背受けパネル２３は、背部クッション２４を介して伝わる着座者の背中及び腰からの荷重を支持する。
【００２９】
図１に示すように、背部クッション２４は、背部フレーム２１及び背受けパネル２３（図３参照）を前方から覆うように設けられている。背部クッション２４は、弾性を有したクッション材（図示無し）と、クッション材を覆うカバー材２４ｃと、を備えている。背部クッション２４の前面は、着座者の背中を支持する背凭れ面２６を構成している。
【００３０】
＜物品収容部材＞
図２、図４に示すように、背凭れ２０の後方を向く背面２０ｒには、物品収容部材８０が設けられている。物品収容部材８０は、ベースパネル８１と、上側支持部８２と、下側支持部８３と、を備えている。
【００３１】
ベースパネル８１は、バックパネル２２の下半部に形成された開口部（図示無し）を後方から覆うように設けられている。ベースパネル８１は、前後方向から見て矩形状をなしている。ベースパネル８１の外周部には、バックパネル２２のうち開口部（図示無し）の外側部分に突き当たる縁部８１ａが形成されている。ベースパネル８１は、複数のビス等により、背部フレーム２１（図３参照）に固定されている。
【００３２】
図３に示すように、ベースパネル８１の上端部には、一対の爪部８１ｋが設けられている。各爪部８１ｋは、前方かつ上方に向かって突出している。各爪部８１ｋは、背部フレーム２１よりも前方に突出して、背受けパネル２３の上端部に係止されている。これにより、ベースパネル８１の上端部は、背受けパネル２３に対する後方への変位が拘束されている。
【００３３】
図４に示すように、ベースパネル８１には、前方に向かって窪む凹面（右側凹面８１ｄ及び左側凹面８１ｅ）が形成されている。ベースパネル８１において、凹面８１ｄ，８１ｅにおける幅方向の両側に位置する部分には、上下方向に延び、後方に隆起したリブ（右側リブ８１ｒ、中央リブ８１ｓ及び左側リブ８１ｔ）が形成されている。右側リブ８１ｒは、右側凹面８１ｄに対して右側に位置している。中央リブ８１ｓは、凹面８１ｄ，８１ｅの間を仕切っている。左側リブ８１ｔは、左側凹面８１ｅに対して左側に位置している。
【００３４】
リブ８１ｒ，８１ｓは、右側凹面８１ｄと上側支持部８２との間に収容される物品が幅方向に移動するのを抑える。
リブ８１ｓ，８１ｔは、左側凹面８１ｅと上側支持部８２との間に収容される物品が幅方向に移動するのを抑える。なお、リブ８１ｒ，８１ｓ，８１ｔは、ベースパネル８１の補強要素としても機能する。
【００３５】
上側支持部８２は、ベースパネル８１における上下方向の中間部に設けられている。上側支持部８２は、幅方向に延び、上下方向に所定寸法の高さを有している。上側支持部８２は、帯状部８２ａと、湾曲部８２ｂと、を有する。
【００３６】
帯状部８２ａは、上述したリブ８１ｒ，８１ｓ間で、凹面８１ｄと平行に延びている。帯状部８２ａには、リブ８１ｒ，８１ｓに沿って上方に所定長延びるガイド部材８２ｇが一体に形成されている。ガイド部材８２ｇは、上下方向から見た断面形状が略Ｌ字状で、凹面８１ｄに対して前後方向に間隔をあけて設けられている。ガイド部材８２ｇは、凹面８１ｄと平行な後壁部８２ｈを有する。
【００３７】
湾曲部８２ｄは、リブ８１ｓ，８１ｔ間で、後方に向かって膨出するように、上下方向から見て円弧状に湾曲している。湾曲部８２ｄの下端部には、湾曲部８２ｄの下端開口を横断するボトル受け８２ｃが一体に形成されている。
【００３８】
下側支持部８３は、ベースパネル８１の下端部に設けられている。下側支持部８３は、幅方向に延び、上下方向に所定寸法の高さを有した帯状に形成されている。
【００３９】
＜アームレスト＞
図１に示すように、アームレスト３０は、座部１０の左側に設けられている。すなわち、本実施形態では、一方の座部１０に対して左側に設けられたアームレスト３０が第１側方部材を構成し、他方の座部１０に対して右側に設けられたアームレスト３０が第２側方部材を構成する。このように、本実施形態のアームレスト３０は、椅子ユニット１における幅方向の両端部に位置しており、椅子１００同士の間には設けられていない。
【００４０】
図５は、椅子１００のアームレスト３０を示す斜視図である。
図３、図５に示すように、アームレスト３０は、幅方向から見た側面視での外周形状が多角形状（本実施形態では下方に先細る台形状）とされた中空箱状に形成されている。すなわち、アームレスト３０は、座部１０に対して幅方向の外側を遮蔽している。アームレスト３０は、アームレスト本体３１と、アウターカバー（図５参照）３２と、インナーカバー３３（図３参照）と、トップカバー３４と、を備えている。
【００４１】
アームレスト本体３１は、幅方向に開口する開口部（左側開口部３１ｐ及び右側開口部３１ｑ）を有する枠型に形成されている。アームレスト本体３１の下端部は、座部フレーム１１に設けられた取付ブラケット１８に、複数本のボルト等によって固定されている。アームレスト本体３１の上面には、上方に向かって開口する上側開口部３１ｋ（図７参照）を有している。
【００４２】
アウターカバー３２は、アームレスト３０の左側開口部３１ｐを塞いでいる。図３に示すように、インナーカバー３３は、アームレスト３０の右側開口部３１ｑを塞いでいる。
【００４３】
トップカバー３４は、アームレスト本体３１の上側開口部３１ｋを塞いでいる。トップカバー３４の上面は、上方を向く肘載せ面を構成している。トップカバー３４の左側端部は、前後方向に沿う軸線回りにアームレスト本体３１に回動自在に連結されている。これにより、トップカバー３４は、アームレスト３０の上面に配置されて上側開口部３１ｋを塞ぐ状態と、アームレスト本体３１の右側端部から起立して、上側開口部３１ｋを開放した状態と、の間で開閉動作可能となっている。
【００４４】
図６は、アームレスト３０の内部構成を示す斜視図である。図７は、アームレスト３０の内部構成を示す側面図である。
図６、図７に示すように、アームレスト３０の内部（アームレスト本体３１、アウターカバー３２及びインナーカバー３３で囲まれた内部空間）には、折り畳み式のテーブル４０が収容されている。テーブル４０は、板状で、テーブル支持部４１を介して、アームレスト本体３１に連結されている。
【００４５】
テーブル支持部４１は、アームレスト３０の内部において、座部１０の前後方向の中間部よりも前方に配置されている。本実施形態において、テーブル支持部４１は、アームレスト３０の内部において、前側上端部に配置されている。テーブル支持部４１は、テーブル４０がアームレスト３０の上側開口部３１ｋから引き出された使用状態と、アームレスト３０の内部に収容された不使用状態と、の間でテーブル４０を変位可能に支持する。テーブル４０は、使用状態において、使用面４０ｆが上方を向いた状態で、座部１０の上方で保持される。テーブル４０は、不使用状態において、使用面４０ｆが左側を向いた状態で、アームレスト３０の内部に収容される。
【００４６】
図７に示すように、テーブル支持部４１は、不使用状態におけるテーブル４０の前側上端部に位置する角部４０ｃに連結されている。テーブル支持部４１は、アームレスト本体３１に設けられて幅方向に沿う支軸３８周りに回動可能に設けられている。テーブル支持部４１は、テーブル４０の角部４０ｃを、概ね前後方向に沿う回動軸４１ｓ周りに回動可能に支持する。これにより、アームレスト３０に収容されたテーブル４０は、使用面４０ｆに沿った面内（幅方向に直交する面内）で回動可能となるよう支持されている。
【００４７】
アームレスト本体３１には、ストッパ４３が設けられている。ストッパ４３は、アームレスト３０内における前側下端部に位置している。ストッパ４３は、アームレスト本体３１に固定されたベース部４３ａと、ベース部４３ａから後方に延び、テーブル４０の外周端部に突き当たる突き当たり部４３ｂと、を有している。ストッパ４３は、不使用状態にあるテーブル４０の前方への回動範囲を規制する。
【００４８】
図６に示すように、アームレスト３０の内部において、テーブル４０に対して幅方向の両側には、サポートプレート４４が設けられている（図６には、テーブル４０に対して左側のサポートプレート４４のみを図示）。サポートプレート４４は、アウターカバー３２及びインナーカバー３３にそれぞれ固定されている。アウターカバー３２に設けられたサポートプレート４４は、左側開口部３１ｐを通じてアームレスト本体３１の内側に突出している。インナーカバー３３に設けられたサポートプレート４４は、右側開口部３１ｑを通じてアームレスト本体３１の内側に突出している。各サポートプレート４４は、アームレスト３０の内部において、不使用状態のテーブル４０を幅方向で挟持する。これにより、アームレスト３０の内部において、テーブル４０の幅方向の移動を規制し、テーブル４０が安定して保持される。
【００４９】
テーブル４０を不使用状態から使用状態に移行させるには、まずトップカバー３４を回動させて上側開口部３１ｋを開放させる。その後、テーブル４０を上方に持ち上げると、テーブル４０が使用面４０ｆの面内を支軸３８周りの上方に向けて回動する。これにより、テーブル４０は、支軸３８の周囲を下方から後方に回り込むように回動した後、アームレスト３０の上側開口部３１ｋから上方に引き出される。その後、テーブル支持部４１がアームレスト３０の上面に突き当たることで、テーブル４０の支軸３８周りの回動が規制される。この状態で、テーブル４０を右側に倒すと、テーブル４０が回動軸４１ｓ周りに回動し、座部１０の前部（着座者の下肢）を上方から覆うように配置される。これにより、テーブル４０は、使用面４０ｆが上方を向いた使用状態となる。なお、上記とは逆の手順を経ることで、テーブル４０を使用状態から不使用状態に移行させることができる。
【００５０】
＜配線接続部材＞
図６、図７に示すように、アームレスト３０は、各種の電子機器等のコネクタ９０が着脱可能に接続される配線接続部材５０を備えている。配線接続部材５０は、テーブル支持部４１よりも下方（アームレスト３０の上端よりも下方）、かつ不使用状態のテーブル４０よりも前方に設けられている。  配線接続部材５０は、コネクタ９０が接続されるプラグ接続部５１と、電源配線２００が接続される電源接続部５２と、プラグ接続部５１及び電源接続部５２間を接続するリード線５３と、を備えている。
【００５１】
プラグ接続部５１、電源接続部５２及びリード線５３は、アームレスト３０内に収容されている。プラグ接続部５１は、アームレスト本体３１の前面３１ｆに形成された前側開口部３１ｒ（図７参照）に嵌め込まれている。プラグ接続部５１の前端部は、前側開口部３１ｒを通してアームレスト本体３１の前面３１ｆに露出している。プラグ接続部５１の前面には、コネクタ９０が接続される配線接続部５４が形成されている。本実施形態のプラグ接続部５１は、長手方向を上下方向としてアームレスト本体３１に設けられている。但し、プラグ接続部５１は、長手方向を幅方向としてアームレスト本体３１に設けられていてもよい。なお、プラグ接続部５１（配線接続部５４）に接続されるコネクタ９０は、コンセントプラグであってもよく、光コネクタやＵＳＢ（Ｕｎｉｖｅｒｓａｌ  Ｓｅｒｉａｌ  Ｂｕs）コネクタ等であってもよい。
【００５２】
ここで、アームレスト本体３１の前面３１ｆは、上方から下方に向かって後方に傾斜した傾斜面３５により形成されている。本実施形態において、アームレスト本体３１の前面３１ｆは、上下方向の全体に亘って傾斜角度が一様な傾斜面３５とされている。すなわち、プラグ接続部５１は、傾斜面３５上において、配線接続部５４が前後方向に対して僅かに下方に向いた状態で設けられている。この場合、プラグ接続部５１は、アームレスト３０の上面の前端部３１ａよりも後方に位置する。本実施形態において、傾斜面３５は、アームレスト３０の上面に連なっている。したがって、アームレスト３０における前側上端部の角部は鋭角をなしている。なお、アームレスト本体３１の前面３１ｆは、少なくとも一部が傾斜面３５であってもよい。また、本実施形態において「傾斜面」は、下方に向かうに従い後方に延在していればよい。そのため、本実施形態の「傾斜面」は、幅方向から見た側面視で、直線状に限らず、湾曲状等も含む。
【００５３】
アームレスト本体３１の前面３１ｆ（傾斜面３５）において、前側開口部３１ｒの周囲に位置する部分は、最外面に対して後方に向けて窪む凹部３６が形成されている。本実施形態において、プラグ接続部５１の前面は、アームレスト本体３１の前面３１ｆ（傾斜面３５）において、最外面に対して面一又は後方に配置されている。但し、アームレスト本体３１の前面３１ｆ（傾斜面３５）は、凹部３６を有さない構成でもよい。
【００５４】
図７に示すように、アームレストの前面３１ｆ（傾斜面３５）は、座部１０の前端部１０ｇよりも後方に位置している。そのため、配線接続部５４に接続されたコネクタ９０のコネクタ配線９１が、座部１０の前端部１０ｇよりも前方に突出することが抑えられる。
また、本実施形態において、プラグ接続部５１は、座部１０の着座面１４に対して上方に位置している。
【００５５】
アームレスト３０の内部には、上述した電源配線２００が引き回される配線挿通部６０が形成されている。配線挿通部６０は、アームレスト３０の内部において、テーブル支持部４１よりも下方で、かつテーブル４０やストッパ４３よりも前方に画成されている。
【００５６】
図８は、図７のＶＩＩＩ−ＶＩＩＩ線に相当する断面図である。
図８に示すように、電源配線２００は、アームレスト３０内において、配線挿通部６０を通して、電源接続部５２から下方に案内された後、アームレスト本体３１に形成された切欠き部７５を通じて、アームレスト３０の外部（幅方向の内側）に引き出される。電源配線２００は、アームレスト３０の外部において、座部フレーム１１に沿って回転基台２に案内され、図示しない外部電源に接続される。なお、上述した切欠き部７５は、アームレスト本体３１の下部前端部において、幅方向の内側に向けて開口している。
【００５７】
＜ロック機構＞
図２に示すように、椅子ユニット１の向きを切替可能とするロック機構７９を備えている。椅子ユニット１は、ロック機構７９を操作することで、鉄道車両の進行方向に着座者が向く方向と、鉄道車両の進行方向と反対方向に着座者が向く方向と、の何れかの向きを選択できるようになっている。具体的に、ロック機構７９は、ロックピン３と、ロック解除レバー７０と、を備えている。
【００５８】
ロックピン３は、軸線Ｃ周りの回動方向における椅子ユニット１及び回転ベース２ｂの位置（向き）を拘束可能である。ロックピン３は、軸線Ｃに対する径方向（図示の例では幅方向）に延びている。ロックピン３は、回転基台２の回転ベース２ｂと固定ベース２ａとを径方向に貫通する係合状態と、回転ベース２ｂ及び固定ベース２ａから径方向の外側に退避した離脱状態と、の間で進退可能に設けられている。
【００５９】
ロックピン３の係合状態において、椅子１００（椅子ユニット１）を支持する回転ベース２ｂは、固定ベース２ａに対する軸線Ｃ周りの回動が規制される（回動方向の位置が拘束される）。ロックピン３の離脱状態において、回転ベース２ｂは、固定ベース２ａに対する軸線Ｃ周りの回動が許容される。このように、ロック機構７９は、ロックピン３を回転基台２から離脱させることで、椅子１００の回動方向の拘束が解除され、椅子ユニット１の向きを変更できるようになる。
【００６０】
ロック解除レバー７０は、ロックピン３を径方向に進退移動させ、ロックピン３の係脱操作を行う。ロック解除レバー７０は、アームレスト３０において、幅方向の外側を向く側面３０ｓ上に露出している。したがって、椅子ユニット１が例えば鉄道車両に設置された状態において、ロック解除レバー７０は、鉄道車両の前後方向に連続する通路に臨む位置に配置される。
【００６１】
ロック解除レバー７０は、アームレスト３０の前側下端部に形成された収容凹部３９内に収容されている。収容凹部３９は、アームレスト３０の側面３０ｓに対して幅方向の内側に窪んでいる。収容凹部３９は、アームレスト３０の側面３０ｓ及び下面で開口している。
【００６２】
ロック解除レバー７０は、幅方向を厚さ方向とする板状に形成されている。ロックレバー７０の上端部は、前後方向に延びる回動軸７０ｓ周りに回動可能にアームレスト本体３１に支持されている。一方、ロック解除レバー７０の下端部は、自由端とされている。すなわち、ロック解除レバー７０は、着座面１４よりも下方で、かつ背凭れ面２６よりも前方において、回動軸７０ｓ周りに幅方向に回動可能に構成されている。
【００６３】
本実施形態において、ロック解除レバー７０と収容凹部３９の底面との間には、幅方向の隙間を有している。すなわち、ロック解除レバー７０と収容凹部３９の底面との間の隙間は、ロック解除レバー７０を操作する際のロック解除レバー７０の把持スペースとして機能する。なお、ロック解除レバー７０において、幅方向の外側を向く面（収容凹部３９からの露出面）は、アームレスト３０の側面３０ｓに対して面一若しくは幅方向の内側に配置されていることが好ましい。本実施形態において、ロック解除レバー７０の下端縁は、アームレスト３０の下面に対して面一若しくは上方に配置されている。
【００６４】
ロック解除レバー７０には、操作ケーブル７２の第１端部が連結されている。操作ケーブル７２の第２端部は、ロックピン３に連結されている。すなわち、ロック解除レバー７０の操作力は、操作ケーブル７２を介してロックピン３に伝達可能とされている。なお、ロックピン３、及びロック解除レバー７０の少なくとも一方は、コイルスプリング等の弾性部材（図示無し）によって、ロックピン３が回転基台２に係合する方向に付勢されている。
【００６５】
このようなロック解除レバー７０を操作するには、まず操作者の手指を、収容凹部３９内に下方から差し入れ、ロック解除レバー７０の下端部を把持する。続いて、ロック解除レバー７０を幅方向の外側に引き起こすことで、ロック解除レバー７０が回動軸７０ｓ周りの左側に回動する。すると、ロック解除レバー７０の変位が操作ケーブル７２を介してロックピン３に伝達され、ロックピン３が固定ベース２ａから引き抜かれる（離脱する）。その結果、上述したように回転基台２の回転ベース２ｂの拘束が解除され、椅子ユニット１を軸線Ｃ周りに回転させることができる。これにより、椅子ユニット１の前後方向の向きを変えることが可能となる。
また、ロック解除レバー７０の操作を解除すると、弾性部材の付勢力によってロックピン３が回転ベース２ｂに係合する方向に移動し、固定ベース２ａに係合する。また、ロック解除レバー７０は、元の状態に戻る。
【００６６】
このように、本実施形態では、ロック解除レバー７０が、アームレスト３０において、座部１０の着座面１４よりも下方に設けられている構成とした。
この構成によれば、ロック解除レバー７０がアームレスト３０の低い位置に設けられるので、例えば第三者によって不意に操作されるのを抑制できる。また、着座者が椅子１００に着座した状態で、手の届きにくい位置にロック解除レバー７０が配置されるので、例えばリクライニング用の操作部材と間違えてロック解除レバー７０を操作してしまうのを抑制できる。
その結果、ロック解除レバー７０が不用意に操作され、椅子ユニット１が予期せず回動するのを抑えることが可能となる。
さらに、ロック解除レバー７０がアームレスト３０の低い位置に配置されるので、回転基台２とアームレスト３０との距離を近付けることができる。そのため、アームレスト３０と回転基台２とを接続する操作ケーブル７２を短くできる。
しかも、ロック解除レバー７０がアームレスト３０の低い位置に設けられることで、例えばロック解除レバーをアームレストの上面後端部に設ける場合に比べて、背凭れ２０とロック解除レバー７０との距離を離すことができる。そのため、椅子ユニット１の向きを変える際、一方の手でロック解除レバー７０を操作した上で、他方の手で背凭れ２０を回転方向に押し付けることで、背凭れ２０に対して効率的に力を伝えることができる。これにより、ロック解除レバー７０に対して回転方向に過大に力が作用するのを抑制できるので、ロック解除レバー７０に掛かる負荷を低減できる。
【００６７】
本実施形態では、アームレスト３０の左側及び下方に開口する収容凹部３９内に、ロック解除レバー７０が収容された構成とした。
この構成によれば、ロック解除レバー７０がアームレスト３０の最下部に位置するものの、ロック解除レバー７０の操作時には、収容凹部３９の下方から手指を入れてロック解除レバー７０を把持できる。そのため、不用意な操作を抑制した上で、意図した操作時における操作性を向上させることができる。
【００６８】
本実施形態では、ロック解除レバー７０がアームレスト３０の側面３０ｓと同一面内に位置する状態から幅方向に変位することで、ロックピン３における拘束を解除操作する構成とした。
この構成によれば、ロックピン３の係合状態では、ロック解除レバー７０がアームレスト３０の側面３０ｓと同一面内に位置する。これにより、例えば椅子ユニット１の周囲を歩行中にロック解除レバー７０に引っ掛かるのを抑制できる。
また、ロック解除レバー７０によりロックピン３を解除操作するには、ロック解除レバー７０の引き込み操作（幅方向の外側への操作）が必要になる。このため、例えばロック解除レバー７０の押し込み操作によりロックピン３を離脱状態に移動させる構成に比べて、不用意な操作を抑制できる。
【００６９】
本実施形態では、ロック解除レバー７０の上端部がアームレスト３０に回動自在に支持された構成とした。
この構成によれば、ロック解除レバー７０を操作するにあたって幅方向の外側、かつ上方への引き上げ操作が必要になるので、ロック解除レバー７０が不用意に操作されてしまうのを、より確実に抑えることが可能となる。
【００７０】
本実施形態では、ロック解除レバー７０が背凭れ面２６よりも前方に配置されている構成とした。
この構成によれば、上下方向で手の届きにくい位置にロック解除レバー７０を配置した上で、前後方向で着座者から視認し易い位置にロック解除レバー７０が配置される。そのため、ロック解除レバー７０が不用意に操作されるのを抑えることができる。
【００７１】
（その他の実施形態）
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、アームレスト３０が椅子１００に対して幅方向の一方側のみに設けられた構成について説明したが、これに限らない。アームレスト３０は、椅子１００に対して幅方向の両側に設けられていてもよい。
【００７２】
上述した実施形態では、側方部材として、中空のアームレスト３０を示したが、これに限らない。本発明に係る側方部材としては、中実構造のアームレストや、椅子１００の脚体等であってもよい。
【００７３】
上述した実施形態では、ロック部材としてロックピン３を採用した場合について説明したが、この構成のみに限られない。ロック部材は、ピン形状に限らず、種々の形状が採用可能である。
上述した実施形態では、ロック解除レバー７０がアームレスト３０の最下端に配置された構成について説明したが、この構成のみに限られない。ロック解除レバー７０は、アームレスト３０における上下方向の中間部よりも下方に配置されていればよい。
【００７４】
上述した実施形態では、ロック解除レバー７０が回動可能とされた構成について説明したが、この構成のみに限られない。ロック解除レバー７０は、例えばスライド操作（押し込み操作や引き込み操作）や、回転操作等であってもよい。
上述した実施形態では、ロック解除レバー７０が背凭れ面２６よりも前方に配置された構成について説明したが、この構成のみに限られない。ロック解除レバー７０は、背凭れ面２６よりも後方に配置されていてもよい。
【００７５】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００７６】
２  回転基台
３  ロックピン（ロック部材）
１０  座部
１４  着座面
２０  背凭れ
２６  背凭れ面
３０  アームレスト（側方部材）
３０ｓ  側面
３９  収容凹部
７０  ロック解除レバー（操作部材）
１００  椅子（椅子本体）
Ｃ  中心軸（回転軸）
Ｆ  床面
【図１】
2019209758.tif 000003
【図２】
2019209758.tif 000004
【図３】
2019209758.tif 000005
【図４】
2019209758.tif 000006
【図５】
2019209758.tif 000007
【図６】
2019209758.tif 000008
【図７】
2019209758.tif 000009
【図８】
2019209758.tif 000010